(57)【要約】【課題】反被写体側に配置されるレンズの外径が大型化する場合であっても、小型化することが可能なレンズ駆動装置を提供すること。【解決手段】光軸方向へ移動可能な可動体２は、複数のレンズが固定されるレンズホルダ７と、レンズホルダ７が固定される略筒状のホルダ固定部材８とを備えている。レンズホルダ７の反被写体側部分には、複数のレンズのうちで他のレンズよりも外径が大きくかつ反被写体側に配置される大径レンズを固定するための大径部７ａが形成され、ホルダ固定部材８の内径は、大径部７ａの外径よりも小さくなっている。大径部７ａは、ホルダ固定部材８の反被写体側端面８ｂよりも反被写体側に配置されている。また、可動体２を移動可能に保持する固定体３には、反被写体側端面８ｂが当接する当接部１２ｂが形成され、当接部１２ｂは、光軸方向における大径部７ａと反被写体側端面８ｂとの間に配置されている。【選択図】図３
2011039425.tif 000002
【特許請求の範囲】
【請求項１】
被写体を撮影するカメラに搭載されるレンズ駆動装置において、
複数のレンズを保持し前記レンズの光軸方向へ移動可能な可動体と、前記可動体を前記光軸方向へ移動可能に保持する固定体と、前記可動体を前記光軸方向へ駆動するための駆動機構とを備え、
前記可動体は、複数の前記レンズが固定されるレンズホルダと、前記レンズホルダが固定される略筒状のホルダ固定部材とを備え、
複数の前記レンズのうちの少なくとも１枚は、他の前記レンズよりも外径が大きく、かつ、他の前記レンズよりも反被写体側に配置される大径レンズであり、
前記レンズホルダの反被写体側部分には、前記大径レンズを固定するための大径部が形成され、
前記ホルダ固定部材の内径は、前記大径部の外径よりも小さく、
前記レンズホルダの被写体側部分は、前記ホルダ固定部材の内周側に配置されるとともに、前記大径部は、前記ホルダ固定部材の反被写体側の端面である反被写体側端面よりも反被写体側に配置され、
前記固定体には、前記反被写体側端面に当接して前記光軸方向における前記可動体の基準位置を決める当接部が形成され、
前記当接部は、前記光軸方向における前記大径部と前記反被写体側端面との間に配置されていることを特徴とするレンズ駆動装置。
【請求項２】
前記当接部は、前記固定体の外周側から前記レンズ駆動装置の径方向内側に向かって突出するように形成されていることを特徴とする請求項１記載のレンズ駆動装置。
【請求項３】
前記当接部よりも被写体側であって、かつ、前記ホルダ固定部材の外周側には、前記可動体の反被写体側において、前記可動体と前記固定体とを繋ぐ板バネが配置されていることを特徴とする請求項２記載のレンズ駆動装置。
【請求項４】
前記光軸方向から見たときの形状が略四角形状となるように形成され、
前記駆動機構は、前記レンズ駆動装置の四隅に配置される略柱状の駆動用磁石部と、略筒状に巻回されて形成され、その内周面が前記駆動用磁石部の外周面と所定の隙間を介して対向配置される駆動用コイルとを備え、
前記駆動用磁石部は、前記駆動用コイルとの対向位置で前記駆動用コイルを通過する磁束が発生するように着磁され、
前記駆動用磁石部および前記駆動用コイルは、前記当接部よりも被写体側に配置されていることを特徴とする請求項１から３のいずれかに記載のレンズ駆動装置。
【発明の詳細な説明】
【技術分野】
【０００１】
本発明は、携帯電話等に使用される比較的小型のカメラに搭載されるレンズ駆動装置に関する。
【背景技術】
【０００２】
従来、携帯電話等に搭載されるカメラの撮影用レンズを駆動するレンズ駆動装置として、複数のレンズが固定されるとともに光軸方向へ移動する移動筒と、２個のバネ部材を介して移動筒を移動可能に保持する外筒と、外筒に固定される撮像素子とを備えるレンズ駆動装置が知られている（たとえば、特許文献１および２参照）。この特許文献１および２に記載のレンズ駆動装置では、移動筒の内周面に複数のレンズが固定されている。また、このレンズ駆動装置では、撮像素子が配置される撮像素子側に、複数のレンズのうちで最も外径の大きなレンズが配置されている。
【先行技術文献】
【特許文献】
【０００３】
【特許文献１】特開２００７−８６１５９号公報
【特許文献２】特開２００７−１０８５３９号公報
【発明の概要】
【発明が解決しようとする課題】
【０００４】
近年、携帯電話等に使用されるカメラの市場では、カメラの小型化の要求が一段と高まっており、そのため、カメラに搭載されるレンズ駆動装置の小型化の要求も一段と高まっている。一方で、近年、携帯電話等に使用されるカメラの市場では、高画素化、高解像度化の要求が高まっており、レンズ駆動装置に搭載される複数のレンズのうちの撮像素子側（反被写体側）に配置されるレンズの外径が大型化する傾向にある。そのため、レンズ駆動装置を小型化することが困難な状況が生じつつある。
【０００５】
そこで、本発明の課題は、反被写体側に配置されるレンズの外径が大型化する場合であっても、小型化することが可能なレンズ駆動装置を提供することにある。
【課題を解決するための手段】
【０００６】
上記の課題を解決するため、本発明のレンズ駆動装置は、被写体を撮影するカメラに搭載されるレンズ駆動装置において、複数のレンズを保持しレンズの光軸方向へ移動可能な可動体と、可動体を光軸方向へ移動可能に保持する固定体と、可動体を光軸方向へ駆動するための駆動機構とを備え、可動体は、複数のレンズが固定されるレンズホルダと、レンズホルダが固定される略筒状のホルダ固定部材とを備え、複数のレンズのうちの少なくとも１枚は、他のレンズよりも外径が大きく、かつ、他のレンズよりも反被写体側に配置される大径レンズであり、レンズホルダの反被写体側部分には、大径レンズを固定するための大径部が形成され、ホルダ固定部材の内径は、大径部の外径よりも小さく、レンズホルダの被写体側部分は、ホルダ固定部材の内周側に配置されるとともに、大径部は、ホルダ固定部材の反被写体側の端面である反被写体側端面よりも反被写体側に配置され、固定体には、反被写体側端面に当接して光軸方向における可動体の基準位置を決める当接部が形成され、当接部は、光軸方向における大径部と反被写体側端面との間に配置されていることを特徴とする。
【０００７】
本発明のレンズ駆動装置では、他のレンズよりも外径の大きな大径レンズが配置される大径部がレンズホルダの反被写体側部分に形成されている。また、本発明では、略筒状に形成されるホルダ固定部材の内径は、大径部の外径よりも小さくなっており、かつ、大径部は、ホルダ固定部材の反被写体側の端面である反被写体側端面よりも反被写体側に配置されている。すなわち、本発明では、大径部の外径の大きさに関係なく（すなわち、大径レンズの外径の大きさに関係なく）、他のレンズの外径の大きさに応じて、ホルダ固定部材の内径を設定することが可能になっており、また、設定されたホルダ固定部材の内径に基づいて、ホルダ固定部材の外径を設定することが可能になっている。したがって、本発明では、大径レンズの外径が大きくなっても、ホルダ固定部材の外径を小さくすることが可能になる。その結果、本発明では、反被写体側に配置されるレンズの外径が大型化する場合であっても、レンズ駆動装置を小型化することが可能になる。
【０００８】
また、本発明では、ホルダ固定部材の反被写体側端面に当接して光軸方向における可動体の基準位置を決める当接部が、光軸方向における大径部と反被写体側端面との間に配置されている。すなわち、本発明では、反被写体側端面に当接する当接部が、光軸方向において、大径部の径方向外側部分と重なるように配置されている。そのため、本発明では、大径部の外径が大きくなっても、大径部よりも径方向外側に当接部が配置されている場合と比較して、レンズ駆動装置を小型化することが可能になる。すなわち、本発明では、反被写体側に配置されるレンズの外径が大型化する場合であっても、レンズ駆動装置を小型化することが可能になる。
【０００９】
本発明において、当接部は、固定体の外周側からレンズ駆動装置の径方向内側に向かって突出するように形成されていることが好ましい。このように構成すると、レンズ駆動装置が搭載されるカメラにおいて撮像素子や回路基板等が配置される反被写体側へ塵埃が侵入するのを当接部によって防ぐことが可能になる。
【００１０】
本発明において、当接部よりも被写体側であって、かつ、ホルダ固定部材の外周側には、可動体の反被写体側において、可動体と固定体とを繋ぐ板バネが配置されていることが好ましい。このように構成すると、可動体の反被写体側に板バネが配置される場合であっても、ホルダ固定部材にレンズホルダを固定する際の、板バネと大径部との干渉を防止することが可能になる。したがって、板バネの変形を防止することが可能になる。また、板バネと大径部とが接触することで生じうる塵埃の発生を防止することが可能になる。
【００１１】
本発明において、レンズ駆動装置は、光軸方向から見たときの形状が略四角形状となるように形成され、駆動機構は、レンズ駆動装置の四隅に配置される略柱状の駆動用磁石部と、略筒状に巻回されて形成され、その内周面が駆動用磁石部の外周面と所定の隙間を介して対向配置される駆動用コイルとを備え、駆動用磁石部は、駆動用コイルとの対向位置で駆動用コイルを通過する磁束が発生するように着磁され、駆動用磁石部および駆動用コイルは、当接部よりも被写体側に配置されていることが好ましい。このように構成すると、デッドスペースとなりやすいレンズ駆動装置の四隅に駆動用磁石部および駆動用コイルを配置することができる。また、このように構成すると、大径部の外周側に、駆動用磁石部および駆動用コイルが配置されないため、反被写体側に配置されるレンズの外径が大型化する場合であっても、駆動用磁石部および駆動用コイルの配置位置をレンズ駆動装置の径方向外側へずらす必要がない。したがって、反被写体側に配置されるレンズの外径が大型化する場合であっても、レンズ駆動装置を小型化することが可能になる。また、このように構成すると、駆動用磁石部の全周および駆動用コイルの全周を利用して可動体を駆動するための磁気回路を効率良く形成することが可能になる。
【発明の効果】
【００１２】
以上のように、本発明では、反被写体側に配置されるレンズの外径が大型化する場合であっても、レンズ駆動装置を小型化することが可能になる。
【図面の簡単な説明】
【００１３】
【図１】本発明の実施の形態にかかるレンズ駆動装置の斜視図である。
【図２】図１のＥ−Ｅ断面の断面図である。
【図３】図１のＦ−Ｆ断面の断面図である。
【図４】図１に示すレンズ駆動装置の分解斜視図である。
【図５】図２に示す駆動用磁石部および駆動用コイルの配置関係を説明するための斜視図である。
【図６】図５に示す駆動用磁石部および駆動用コイルの側面図である。
【図７】図６のＧ−Ｇ方向から駆動用磁石片および駆動用コイルを示す図である。
【発明を実施するための形態】
【００１４】
以下、図面を参照しながら、本発明の実施の形態を説明する。
【００１５】
（レンズ駆動装置の構成）
図１は、本発明の実施の形態にかかるレンズ駆動装置１の斜視図である。図２は、図１のＥ−Ｅ断面の断面図である。図３は、図１のＦ−Ｆ断面の断面図である。図４は、図１に示すレンズ駆動装置１の分解斜視図である。図５は、図２に示す駆動用磁石部１７および駆動用コイル１８の配置関係を説明するための斜視図である。図６は、図５に示す駆動用磁石部１７および駆動用コイル１８の側面図である。図７は、図６のＧ−Ｇ方向から駆動用磁石片２４および駆動用コイル１８を示す図である。
【００１６】
本形態のレンズ駆動装置１は、被写体を撮影するカメラに搭載されるものである。具体的には、レンズ駆動装置１は、携帯電話等に使用される比較的小型のカメラに搭載されるものである。このレンズ駆動装置１は、図１に示すように、全体として略四角柱状に形成されている。すなわち、レンズ駆動装置１は、撮影用のレンズの光軸Ｌの方向（光軸方向）から見たときの形状が略四角形状となるように形成されている。本形態では、レンズ駆動装置１は、光軸方向から見たときの形状が略正方形状となるように形成されている。
【００１７】
本形態のレンズ駆動装置１が搭載されるカメラでは、図２の下側（すなわち、Ｚ２方向側）に図示を省略する撮像素子や回路基板等が配置されており、図２の上側（すなわち、Ｚ１方向側）に配置される被写体が撮影される。したがって、以下の説明では、Ｚ１方向側を被写体側（物体側）、Ｚ２方向側を反被写体側（撮像素子側）とする。また、以下の説明では、光軸Ｌに直交するとともに互いに直交する２方向をＸ方向、Ｙ方向とする。また、Ｘ方向とＹ方向とから形成される平面をＸＹ平面とする。本形態では、レンズ駆動装置１の４つの側面は、Ｘ方向またはＹ方向と平行になっている。
【００１８】
レンズ駆動装置１は、図１〜図４に示すように、撮影用のレンズを保持し光軸方向へ移動可能な可動体２と、可動体２を光軸方向へ移動可能に保持する固定体３と、可動体２を光軸方向へ駆動するための駆動機構４と、可動体２と固定体３とを繋ぐ２種類の板バネ５、６（図４参照）とを備えている。なお、図２では、板バネ５、６の図示を省略している。
【００１９】
可動体２は、複数のレンズが固定されるレンズホルダ７と、レンズホルダ７が固定されるホルダ固定部材としてのスリーブ８とを備えている。なお、図４では、レンズホルダ７の図示を省略している。
【００２０】
レンズホルダ７は、略円筒状に形成されており、その内周側に、光軸方向から見たときの形状が略円形状となる複数のレンズが固定されている。本形態では、複数のレンズのうちの少なくとも１枚は、他のレンズよりも外径の大きな大径レンズである。この大径レンズは、他のレンズよりも反被写体側に配置されている。すなわち、大径レンズは、レンズホルダ７の反被写体側に配置されている。そのため、図２、図３に示すように、レンズホルダ７の反被写体側の外径は、被写体側の外径よりも大きくなっている。すなわち、レンズホルダ７は、段付きの略円筒状に形成されており、レンズホルダ７の反被写体側の端部には、大径レンズを固定するための大径部７ａが形成されている。
【００２１】
スリーブ８は、略筒状に形成されており、その内周側にレンズホルダ７が固定されている。すなわち、スリーブ８には、レンズホルダ７が固定される固定孔８ａが光軸方向に貫通するように形成されている。図２、図３に示すように、固定孔８ａの内径（すなわち、スリーブ８の内径）は、レンズホルダ７の大径部７ａの外径よりも小さくなっている。
【００２２】
本形態では、レンズホルダ７の大径部７ａは、スリーブ８の反被写体側の端面である反被写体側端面８ｂよりも反被写体側に配置されている。すなわち、本形態では、大径部７ａが反被写体側端面８ｂよりも反被写体側に配置されるように、レンズホルダ７の被写体側部分がスリーブ８の内周側に固定されている。また、大径部７ａの被写体側の面となる被写体側面７ｂと反被写体側端面８ｂとが所定の隙間をあけた状態で、光軸方向において対向するように、レンズホルダ７の被写体側部分がスリーブ８の内周側に固定されている。なお、レンズ駆動装置１の組立時には、レンズホルダ７の被写体側部分は、スリーブ８の反被写体側からスリーブ８の固定孔８ａに挿入されて固定される。
【００２３】
固定体３は、被写体側に配置される第１ケース体１１と、反被写体側に配置される第２ケース体１２とを備えている。
【００２４】
第１ケース体１１は、磁性材料で形成されるとともに、底部１１ａと筒部１１ｂとを有する底付きの略四角筒状に形成されている。被写体側に配置される底部１１ａの中心には、円形の貫通孔１１ｃが形成されている。第１ケース体１１は、駆動機構４の外周面および可動体２の被写体側の外周側を囲むように配置されている。
【００２５】
第２ケース体１２は、たとえば、樹脂材料で形成されている。この第２ケース体１２は、略四角筒状に形成されており、第２ケース体１２の中心には、光軸方向に貫通する貫通孔１２ａが形成されている。第２ケース体１２には、図４に示すように、金属製の端子１３が圧入等によって固定されている。また、第２ケース体１２には、スリーブ８の反被写体側端面８ｂが当接する４個の当接部１２ｂと、板バネ６を固定するための４個のバネ固定部１２ｃとが形成されている。
【００２６】
当接部１２ｂは、光軸方向における可動体２の基準位置を決める機能を果たしている。この当接部１２ｂは、光軸方向から見たときに形状が略円弧状となるブロック状に形成されている。また、当接部１２ｂは、貫通孔１２ａの被写体側の縁から第２ケース体１２の径方向の内側に向かって突出するように形成されている。すなわち、当接部１２ｂは、第２ケース体１２の外周側からレンズ駆動装置１の径方向内側に向かって突出するように形成されている。また、４個の当接部１２ｂは、図４に示すように、光軸Ｌを中心にして略９０°ピッチで形成されている。具体的には、貫通孔１２ａの被写体側の縁の、Ｘ方向における略中心位置の２箇所とＹ方向における略中心位置の２箇所とに、４個の当接部１２ｂが形成されている。当接部１２ｂの被写体側の面は、ＸＹ平面と略平行に形成されており、この面に反被写体側端面８ｂが当接する。
【００２７】
本形態では、図３に示すように、当接部１２ｂは、光軸方向において、レンズホルダ７の大径部７ａと、スリーブ８の反被写体側端面８ｂとの間に配置されている。すなわち、当接部１２ｂは、光軸方向における被写体側面７ｂと反被写体側端面８ｂとの間に配置されており、光軸方向から見たときに、被写体側面７ｂおよび反被写体側端面８ｂと当接部１２ｂとが重なっている。
【００２８】
バネ固定部１２ｃは、第２ケース体１２の四隅のそれぞれに形成されている。すなわち、バネ固定部１２ｃは、当接部１２ｂよりも径方向外側に形成されている。バネ固定部１２ｃの被写体側の面は、ＸＹ平面と略平行に形成されている。また、バネ固定部１２ｃの被写体側の面は、当接部１２ｂの被写体側の面よりも被写体側に形成されている。バネ固定部１２ｃの被写体側の面には、板バネ６を構成する後述の固定体固定部６ｂが固定されている。
【００２９】
第２ケース体１２は、レンズホルダ７の反被写体側の外周面を覆うように、第１ケース体１１の反被写体側に取り付けられている。すなわち、第２ケース体１２は、大径部７ａの外周面等を覆うように第１ケース体１１の反被写体側に取り付けられている。
【００３０】
板バネ５は、スリーブ８に固定される可動体固定部５ａと、第１ケース体１１に固定される固定体固定部５ｂと、可動体固定部５ａと固定体固定部５ｂとを繋ぐバネ部５ｃとから構成されている。可動体固定部５ａは、スリーブ８の被写体側の端面に固定され、固定体固定部５ｂは、略矩形の枠状に形成されたスペーサ１４を介して第１ケース体１１の底部１１ａの反被写体側の面に固定されており、板バネ５は、可動体２の被写体側に配置されている。なお、板バネ５は、駆動機構４を構成する後述の駆動用コイル１８に電流が供給されていないときに、可動体２が反被写体側に付勢され、スリーブ８の反被写体側端面８ｂと第２ケース体１２の当接部１２ｂとが当接して可動体２が所定の基準位置に配置されるように、わずかに撓んだ状態で、スリーブ８および第１ケース体１１に取り付けられている。
【００３１】
板バネ６は、スリーブ８に固定される可動体固定部６ａと、第２ケース体１２に固定される固定体固定部６ｂと、可動体固定部６ａと固定体固定部６ｂとを繋ぐバネ部６ｃとから構成されている。可動体固定部６ａは、スリーブ８の反被写体側に固定されている。具体的には、スリーブ８の反被写体側端面８ｂから被写体側に向かってわずかに窪むバネ固定凹部（図示省略）に可動体固定部６ａが固定されている。また、固定体固定部６ｂは、第２ケース体１２のバネ固定部１２ｃに固定されている。すなわち、板バネ６は、可動体２の反被写体側に配置されている。また、板バネ６は、第２ケース体１２の当接部１２ｂよりも被写体側に配置されるとともに、スリーブ８の反被写体側の外周側に配置されている。
【００３２】
なお、スリーブ８の反被写体側端面８ｂから被写体側に向かってわずかに窪むバネ固定凹部に可動体固定部６ａが固定されているため、後述の駆動用コイル１８に電流が供給されずに、バネ固定部１２ｃの被写体側の面よりも反被写体側に形成される当接部１２ｂの被写体側の面とスリーブ８の反被写体側端面８ｂとが当接しているときであっても、板バネ６による被写体側への付勢力を可動体２が受けないようにすることが可能になる。すなわち、後述の駆動用コイル１８に電流が供給されていないときに、スリーブ８の反被写体側端面８ｂと第２ケース体１２の当接部１２ｂとが当接する基準位置よりも被写体側に板バネ６が可動体２を付勢しないようにすることが可能になり、板バネ５によって、可動体２を反被写体側に付勢して、スリーブ８の反被写体側端面８ｂと第２ケース体１２の当接部１２ｂとを当接させることが可能になる。
【００３３】
駆動機構４は、図２、図３および図５等に示すように、レンズ駆動装置１の四隅（具体的には、第１ケース体１１の内側の四隅）に配置される略三角柱状の４個の駆動用磁石部１７と、略三角筒状に巻回され、その内周側が駆動用磁石部１７の外周面と所定の隙間を介して対向配置される４個の駆動用コイル１８とを備えている。
【００３４】
駆動用磁石部１７は、光軸方向で重なるように配置される略三角柱状の２個の駆動用磁石片２３、２４と、駆動用磁石片２３、２４の間に配置される磁性板２５とを備えている。本形態では、駆動用磁石片２３が被写体側に配置され、駆動用磁石片２４が反被写体側に配置されており、駆動用磁石片２３の反被写体側の端面と磁性板２５の被写体側の面とが固定され、駆動用磁石片２４の被写体側の端面と磁性板２５の反被写体側の面とが固定されている。
【００３５】
駆動用磁石片２３、２４は、光軸方向から見たときの形状が略直角二等辺三角形となるように形成されており、駆動用磁石片２３、２４は、光軸方向から見たときに、その斜辺を除く２辺が第１ケース体１１の筒部１１ｂの内周面と略平行になるように配置されている。すなわち、光軸方向から見たときに、対角線上に配置される駆動用磁石片２３、２４の斜辺同士が互いに対向するように、駆動用磁石片２３、２４が配置されている。磁性板２５は、磁性材料で形成されている。この磁性板２５は、光軸方向から見たときの形状が駆動用磁石片２３、２４と同様の略直角二等辺三角形状となる平板状に形成されている。
【００３６】
駆動用磁石片２３は、第１ケース体１１の底部１１ａに固定されている。具体的には、駆動用磁石片２３の被写体側の端面が、底部１１ａの反被写体側の面に固定されている。４個の駆動用磁石片２４の反被写体側の端面には、磁性材料で形成された平板状の磁性板２６が固定されている。磁性板２６は、略四角枠状に形成されている。また、磁性板２６の外周端は、第１ケース体１１の筒部１１ｂの内周面に当接している。
【００３７】
駆動用コイル１８は、光軸方向から見たときの形状が略直角二等辺三角形状となるように巻回されて形成されている。４個の駆動用コイル１８は、スリーブ８の外周面に固定されている。具体的には、４個の駆動用コイル１８の内周面のそれぞれと４個の駆動用磁石部１７の外周面のそれぞれとが所定の隙間を介して略平行になるように、光軸Ｌを中心にして略９０°ピッチで４個の駆動用コイル１８がスリーブ８の外周面に固定されており、駆動用コイル１８は、第１ケース体１１の内側の四隅に配置されている。駆動用コイル１８は、第１ケース体１１の内周面との間に所定の隙間を保った状態で、第１ケース体１１の内側の四隅に配置されており、スリーブ８とともに光軸方向へ移動可能となっている。なお、４個の駆動用コイル１８の被写体側の端面および反被写体側の端面には、コイル保護部材２０、２１が固定されている。
【００３８】
本形態では、駆動用コイル１８の反被写体側端が、駆動用磁石片２４の被写体側端よりも被写体側へ移動することがなく、かつ、駆動用コイル１８の被写体側端が、駆動用磁石片２３の反被写体側端よりも反被写体側へ移動することがないように、駆動用磁石部１７および駆動用コイル１８が形成され、配置されている。また、本形態では、磁性板２６は、第２ケース体１２の当接部１２ｂよりも被写体側に配置されている。すなわち、本形態では、駆動用磁石部１７および駆動用コイル１８は、当接部１２ｂよりも被写体側に配置されている。
【００３９】
図２、図６に示すように、駆動用磁石部１７を構成する２個の駆動用磁石片２３、２４は、光軸方向において、同じ磁極同士（Ｓ極とＳ極、あるいは、Ｎ極とＮ極）が対向するように配置されている。すなわち、駆動用磁石片２３、２４同士の対向面は、いずれも同じ磁極に着磁されている。たとえば、駆動用磁石片２３、２４同士の対向面はいずれもＳ極に着磁されている。そのため、駆動用磁石片２３、２４の間には、図６、図７の矢印のように、駆動用コイル１８の三面を通過する磁束が発生している。すなわち、駆動用磁石部１７は、駆動用コイル１８との対向位置で駆動用コイル１８を通過する磁束が発生するように着磁されている。
【００４０】
（本形態の主な効果）
以上説明したように、本形態では、レンズホルダ７の大径部７ａは、スリーブ８の反被写体側端面８ｂよりも反被写体側に配置されており、また、スリーブ８の内径は、大径部７ａの外径よりも小さくなっている。すなわち、本形態では、大径部７ａの外径の大きさに関係なく（すなわち、大径部７ａに固定される大径レンズの外径の大きさに関係なく）、大径レンズ以外のレンズの外径の大きさに応じて、スリーブ８の内径を設定することが可能となっており、また、設定されたスリーブ８の内径に基づいて、スリーブ８の外径を設定することが可能となっている。したがって、本形態では、大径レンズの外径が大きくなっても、スリーブ８の外径を小さくすることが可能になり、その結果、反被写体側に配置されるレンズの外径が大型化する場合であっても、レンズ駆動装置１を小型化することが可能になる。
【００４１】
また、本形態では、反被写体側端面８ｂが当接する当接部１２ｂは、光軸方向における大径部７ａと反被写体側端面８ｂとの間に配置されている。そのため、本形態では、大径部７ａの外径が大きくなったとしても、大径部７ａよりも径方向外側に当接部１２ｂが配置されている場合と比較して、レンズ駆動装置１を小型化することが可能になる。
【００４２】
本形態では、当接部１２ｂは、第２ケース体１２の貫通孔１２ａの被写体側の縁から第２ケース体１２の径方向の内側に向かって突出するように形成されている。そのため、撮像素子や回路基板等が配置される反被写体側へ駆動機構４等で発生した塵埃が侵入するのを当接部１２ｂによって防ぐことが可能になる。
【００４３】
本形態では、板バネ６は、当接部１２ｂよりも被写体側に配置されるとともに、スリーブ８の反被写体側の外周側に配置されている。そのため、スリーブ８にレンズホルダ７を固定する際の、板バネ６と大径部７ａとの干渉を防止することができる。したがって、板バネ６の変形を防止することが可能になる。また、板バネ６と大径部７ａとが接触することで生じうる塵埃の発生を防止することができる。
【００４４】
本形態では、光軸方向から見たときの形状が略正方形状となるレンズ駆動装置１の四隅に略三角柱状の駆動用磁石部１７および略三角筒状の駆動用コイル１８が配置されている。そのため、光軸方向から見たときの形状が略円形状となるレンズを駆動するレンズ駆動装置１のデッドスペースとなるレンズ駆動装置１の四隅に駆動用磁石部１７および駆動用コイル１８を配置することができる。また、本形態では、駆動用磁石部１７および駆動用コイル１８は、当接部１２ｂよりも被写体側に配置されている。すなわち、駆動用磁石部１７および駆動用コイル１８は、大径部７ａよりも被写体側に配置されている。そのため、反被写体側に配置されるレンズの外径が大型化する場合であっても、駆動用磁石部１７および駆動用コイル１８の配置位置をレンズ駆動装置１の径方向外側へずらす必要がない。したがって、反被写体側に配置されるレンズの外径が大型化する場合であっても、レンズ駆動装置１を小型化することが可能になる。
【００４５】
本形態では、略三角筒状に巻回された駆動用コイル１８の内周面が駆動用磁石部１７の外周面と所定の隙間を介して対向配置され、かつ、駆動用磁石部１７は、駆動用コイル１８との対向位置で駆動用コイル１８を通過する磁束が発生するように着磁されている。そのため、本形態では、駆動用磁石部１７の全周および駆動用コイル１８の全周を利用して可動体２を駆動するための磁気回路を効率良く形成することができる。
【００４６】
（他の実施の形態）
上述した形態は、本発明の好適な形態の一例ではあるが、これに限定されるものではなく本発明の要旨を変更しない範囲において種々変形実施が可能である。
【００４７】
上述した形態では、レンズ駆動装置１は、光軸方向から見たときの形状が略正方形状となるように形成されている。この他にもたとえば、レンズ駆動装置１は、光軸方向から見たときの形状が略長方形状や略台形状となるように形成されても良い。また、レンズ駆動装置１は、光軸方向から見たときの形状が略四角形状以外の略多角形状となるように形成されても良いし、光軸方向から見たときの形状が略円形状あるいは略楕円形状となるように形成されても良い。
【００４８】
上述した形態では、駆動用磁石部１７は略三角柱状に形成されているが、駆動用磁石部１７は略三角柱状以外の略多角柱状に形成されても良いし、略円柱状や略楕円柱状に形成されても良い。また、上述した形態では、駆動用コイル１８は略三角筒状に巻回されているが、駆動用コイル１８は略三角筒状以外の略多角筒状に巻回されても良いし、略円筒状や略楕円筒状に巻回されても良い。
【００４９】
上述した形態では、レンズ駆動装置１の四隅に駆動用磁石部１７および駆動用コイル１８が配置されている。この他にもたとえば、可動体２の駆動力を得ることができるのであれば、レンズ駆動装置１の四隅の３箇所、２箇所あるいは１箇所のみに駆動用磁石部１７および駆動用コイル１８が配置されても良い。
【００５０】
上述した形態では、駆動機構４は、レンズ駆動装置１の四隅に配置される略三角柱状の４個の駆動用磁石部１７と、略三角筒状に巻回され、その内周側が駆動用磁石部１７の外周面と所定の隙間を介して対向配置される４個の駆動用コイル１８とを備えている。この他にもたとえば、駆動機構４は、スリーブ８の外周面に巻回される駆動用コイルと、この駆動用コイルの外周面に対向するように配置される駆動用磁石とを備えていても良い。すなわち、駆動機構４は、特開２００８−５８６５９号公報に記載のレンズ駆動装置のレンズの駆動機構と同様に構成されても良い。
【００５１】
上述した形態では、可動体２側に駆動用コイル１８が固定され、固定体３側に駆動用磁石部１７が固定されているが、可動体２側に駆動用磁石部１７が固定され、固定体３側に駆動用コイル１８が固定されても良い。
【符号の説明】
【００５２】
１  レンズ駆動装置
２  可動体
３  固定体
４  駆動機構
６  板バネ
７  レンズホルダ
７ａ  大径部
８  スリーブ（ホルダ固定部材）
８ｂ  反被写体側端面
１２  第２ケース体
１２ｂ  当接部
１７  駆動用磁石部
１８  駆動用コイル
Ｌ  光軸
Ｚ１  被写体側
Ｚ２  反被写体側
【図１】
2011039425.tif 000003
【図２】
2011039425.tif 000004
【図３】
2011039425.tif 000005
【図４】
2011039425.tif 000006
【図５】
2011039425.tif 000007
【図６】
2011039425.tif 000008
【図７】
2011039425.tif 000009